(57)【要約】【課題】  警報要因を容易に特定できる伝送装置、伝送システム、及び伝送方法を提供する。【解決手段】  伝送装置は、波長が相違する複数の光信号が多重された波長多重光信号を受信する受信部と、前記波長多重光信号の受信障害を他装置に通知する通知信号を、前記複数の光信号のうち、前記波長多重光信号から分離されて前記他装置に送信される光信号ごとに、当該光信号のフレームの種別に従って生成する生成部と、前記通知信号を、前記複数の光信号のうち、当該光信号と同一の波長光にそれぞれ変換し、前記波長多重光信号が、前記受信部において受信されない場合、前記波長光を、当該光信号に代えて、前記他装置にそれぞれ送信する１以上の送信部とを有する。【選択図】図４
2015115897.tif 000002
【特許請求の範囲】
【請求項１】
波長が相違する複数の光信号が多重された波長多重光信号を受信する受信部と、
前記波長多重光信号の受信障害を他装置に通知する通知信号を、前記複数の光信号のうち、前記波長多重光信号から分離されて前記他装置に送信される光信号ごとに、当該光信号のフレームの種別に従って生成する生成部と、
前記通知信号を、前記複数の光信号のうち、当該光信号と同一の波長光にそれぞれ変換し、前記波長多重光信号が、前記受信部において受信されない場合、前記波長光を、当該光信号に代えて、前記他装置にそれぞれ送信する１以上の送信部とを有することを特徴とする伝送装置。
【請求項２】
前記複数の光信号のうち、前記波長多重光信号から分離されて前記他装置に送信される光信号ごとに、当該光信号のフレームの種別を検出する検出部を、さらに有し、
前記生成部は、前記通知信号を、前記検出部が検出したフレームの種別に従って生成することを特徴とする請求項１に記載の伝送装置。
【請求項３】
前記複数の光信号のうち、前記波長多重光信号から分離されて前記他装置に送信される光信号ごとに、当該光信号のフレームの種別を示すフレーム情報が入力される入力部と、
前記フレーム情報を記憶する記憶部とを、さらに有し、
前記生成部は、前記通知信号を、前記記憶部から読み出したフレームの種別に従って生成することを特徴とする請求項１に記載の伝送装置。
【請求項４】
前記１以上の送信部からそれぞれ入力された前記波長光を合波して合波光を生成する合波部と、
入力された光を波長ごとに分波して、前記他装置に導く分波部と、
前記波長多重光信号が、前記受信部において受信されない場合、前記分波部に入力される光を、前記波長多重光信号から前記合波光に切り替える切り替え部とを、さらに有し、
前記１以上の送信部は、前記合波部、前記切り替え部、及び前記分波部を介して、前記他装置に前記波長光を送信することを特徴とする請求項１乃至３の何れかに記載の伝送装置。
【請求項５】
伝送路を介して接続された第１伝送装置及び第２伝送装置を有する伝送システムにおいて、
前記第１伝送装置は、
波長が相違する複数の光信号が多重された波長多重光信号を受信する受信部と、
前記波長多重光信号の受信障害を前記第２伝送装置に通知する通知信号を、前記複数の光信号のうち、前記波長多重光信号から分離されて前記第２伝送装置に送信される光信号ごとに、当該光信号のフレームの種別に従って生成する生成部と、
前記通知信号を、前記複数の光信号のうち、当該光信号と同一の波長光に変換し、前記波長多重光信号が、前記受信部において受信されない場合、前記波長光を、当該光信号に代えて、前記第２伝送装置にそれぞれ送信する１以上の送信部とを有し、
前記第２伝送装置は、前記１以上の送信部から送信された前記波長光を受信することを特徴とする伝送システム。
【請求項６】
波長が相違する複数の光信号が多重された波長多重光信号の受信障害を伝送装置に通知する通知信号を、前記複数の光信号のうち、前記波長多重光信号から分離されて前記伝送装置に送信される光信号ごとに、当該光信号のフレームの種別に従って生成し、
前記通知信号を、前記複数の光信号のうち、当該光信号と同一の波長光に変換し、前記波長多重光信号が受信されない場合、前記波長光を、当該光信号に代えて、前記伝送装置に送信することを特徴とする伝送方法。
【発明の詳細な説明】
【技術分野】
【０００１】
本件は、伝送装置、伝送システム、及び伝送方法に関する。
【背景技術】
【０００２】
通信の需要が増加するに伴って、波長多重技術（WDM：Wavelength Division Multiplexing）を利用した光ネットワークが広く普及している。波長多重技術は、波長が異なる複数の光信号を多重して伝送する技術である。波長多重技術によると、例えば、伝送速度４０（Ｇｂｐｓ）×８８波の光信号を多重し、波長多重光信号（以下、「多重光信号」と表記）として伝送することが可能である。
【０００３】
ＷＤＭ技術を利用した伝送装置として、ＲＯＡＤＭ（Reconfigurable Optical Add-Drop Multiplexer）装置などと呼ばれる光分岐挿入装置が知られている。ＲＯＡＤＭ装置は、トランスポンダなどと呼ばれる光信号の送受信器を有している。
【０００４】
ＲＯＡＤＭ装置は、トランスポンダから入力された任意の波長の光信号を多重化して他のノードに伝送し、一方、他のノードから受信した多重光信号から任意の波長の光信号を分離して、トランスポンダに出力する。すなわち、ＲＯＡＤＭ装置は、任意の波長の光信号を挿入及び分岐する。
【０００５】
ＲＯＡＤＭ装置は、障害が発生したことを検出すると、警報を出力する。例えば、ＲＯＡＤＯＭ装置は、多重光信号を受信していないことを検出すると、ＷＤＭ回線断（ＷＤＭ回線障害）を通知する警報を出力する。
【０００６】
警報検出に関し、例えば特許文献１には、受信ＰＣＭ信号の全「１」情報を検出して、ＡＩＳ（Alarm Indication Signal）信号を双方向の下位に設置された全装置に送信する点が開示されている。
【先行技術文献】
【特許文献】
【０００７】
【特許文献１】特開平５−３００７５号公報
【発明の概要】
【発明が解決しようとする課題】
【０００８】
多重光信号を受信していない場合、トランスポンダにおいて、分岐対象の光信号を受信できなくなるため、光信号の受信不能を通知する光信号断の警報が出力される。このため、ＲＯＡＤＭ装置は、ＷＤＭ回線断の警報、及び光信号断の警報の２種類の異なる警報を出力する。しかし、障害要因を容易に特定するには、１つの障害要因に対して、１つの警報が検出されるのが望ましい。
【０００９】
したがって、ネットワーク管理において、警報要因が、多重光信号の受信部（例えば光増幅器）またはトランスポンダの何れにあるのかを特定することが困難になるという問題が生ずる。このため、ＲＯＡＤＭ装置は、例えば、多重光信号を受信できなくなった場合、トランスポンダにおける光信号断の警報の出力を禁止することにより、ＷＤＭ回線断の警報だけを出力する。
【００１０】
しかし、例えば、トランスポンダが、ＲＯＡＤＭ装置の本体から独立した他装置として構成（「Alien Wavelength」構成）されている場合、上記のような警報出力の禁止処理を行うことができない。このため、「Alien Wavelength」構成では、２種類の警報の出力を防止することができず、警報要因の特定が困難となる。
【００１１】
そこで本件は上記の課題に鑑みてなされたものであり、警報要因を容易に特定できる伝送装置、伝送システム、及び伝送方法を提供することを目的とする。
【課題を解決するための手段】
【００１２】
本明細書に記載の伝送装置は、波長が相違する複数の光信号が多重された波長多重光信号を受信する受信部と、前記波長多重光信号の受信障害を他装置に通知する通知信号を、前記複数の光信号のうち、前記波長多重光信号から分離されて前記他装置に送信される光信号ごとに、当該光信号のフレームの種別に従って生成する生成部と、前記通知信号を、前記複数の光信号のうち、当該光信号と同一の波長光にそれぞれ変換し、前記波長多重光信号が、前記受信部において受信されない場合、前記波長光を、当該光信号に代えて、前記他装置にそれぞれ送信する１以上の送信部とを有する。
【００１３】
本明細書に記載の伝送システムは、伝送路を介して接続された第１伝送装置及び第２伝送装置を有する伝送システムであって、前記第１伝送装置は、波長が相違する複数の光信号が多重された波長多重光信号を受信する受信部と、前記波長多重光信号の受信障害を前記第２伝送装置に通知する通知信号を、前記複数の光信号のうち、前記波長多重光信号から分離されて前記第２伝送装置に送信される光信号ごとに、当該光信号のフレームの種別に従って生成する生成部と、前記通知信号を、前記複数の光信号のうち、当該光信号と同一の波長光に変換し、前記波長多重光信号が、前記受信部において受信されない場合、前記波長光を、当該光信号に代えて、前記第２伝送装置にそれぞれ送信する１以上の送信部とを有し、前記第２伝送装置は、前記１以上の送信部から送信された前記波長光を受信する。
【００１４】
本明細書に記載の伝送方法は、波長が相違する複数の光信号が多重された波長多重光信号の受信障害を伝送装置に通知する通知信号を、前記複数の光信号のうち、前記波長多重光信号から分離されて前記伝送装置に送信される光信号ごとに、当該光信号のフレームの種別に従って生成し、前記通知信号を、前記複数の光信号のうち、当該光信号と同一の波長光に変換し、前記波長多重光信号が受信されない場合、前記波長光を、当該光信号に代えて、前記伝送装置に送信する方法である。
【発明の効果】
【００１５】
本明細書に記載の伝送装置、伝送システム、及び伝送方法は、警報要因を容易に特定できるという効果を奏する。
【図面の簡単な説明】
【００１６】
【図１】第１比較例に係る伝送装置の機能構成を示す構成図である。
【図２】第２比較例に係る伝送装置の機能構成を示す構成図である。
【図３】第３比較例に係る伝送装置の機能構成を示す構成図である。
【図４】第１実施例に係る伝送装置の機能構成を示す構成図である。
【図５】ＯＴＵフレームの構成を示す構成図である。
【図６】ＯＴＵフレームのオーバーヘッドの構成を示す構成図である。
【図７】フレーム情報の一例を示す表である。
【図８】第１実施例に係る伝送装置の処理を示すフローチャートである。
【図９】第２実施例に係る伝送装置の機能構成を示す構成図である。
【図１０】第２実施例に係る伝送装置の処理を示すフローチャートである。
【図１１】第３実施例に係る伝送装置の機能構成を示す構成図である。
【図１２】第３実施例に係る伝送装置の処理を示すフローチャートである。
【発明を実施するための形態】
【００１７】
（第１比較例）
図１は、第１比較例に係る伝送装置の機能構成を示す構成図である。伝送装置９０は、例えばＲＯＡＤＭ装置であり、隣接ノードの伝送装置から伝送路（光ファイバ）を介して入力された多重光信号Ｓｍｘから光信号を分岐させ、また、多重光信号Ｓｍｘに光信号を挿入する。多重光信号Ｓｍｘは、波長が相違する光信号が多重された信号であり、例えば最大で８８波の光信号を含む。また、ネットワーク管理装置８０は、伝送装置９０の監視制御を行う。
【００１８】
伝送装置９０は、装置制御部９００と、入力側増幅器２１と、出力側増幅器２２と、光分岐部３と、波長選択スイッチ（WSS: Wavelength Selective Switch）４と、分離部５１と、合波部５２と、複数のトランスポンダ５１ａ，５２ａとを有する。なお、この構成は、伝送装置９０の方路（隣接ノードとの間の伝送路）ごとに設けられる。
【００１９】
入力側増幅器２１は、隣接ノードの伝送装置から入力された多重光信号Ｓｍｘを受信し、例えばエルビウムドープファイバにより増幅し、光分岐部３に出力する。光分岐部３は、例えば光スプリッタであり、多重光信号Ｓｍｘを波長選択スイッチ４、他方路の波長選択スイッチ、及び分離部５１に向けて分岐させる。
【００２０】
分離部（ＤＥＭＵＸ）５１は、例えばＡＷＧ（Arrayed Waveguide Grating）であり、多重光信号Ｓｍｘから分岐対象の波長の光信号Ｓ１〜Ｓｎを分離して、光信号Ｓ１〜Ｓｎをそれぞれ受信する複数のトランスポンダ５１ａに出力する。また、合波部（ＭＵＸ）５２は、例えばＡＷＧであり、複数のトランスポンダ５２ａから入力された光信号Ｄ１〜Ｄｎを多重し、波長選択スイッチ４に出力する。
【００２１】
トランスポンダ５１ａは、分離部５１から光信号Ｓ１〜Ｓｎを受信する受信器である。トランスポンダ５２ａは、光信号Ｄ１〜Ｄｎを合波部５２に送信する送信器である。なお、本例において、トランスポンダ５１ａ，５２ａは、互いに独立して設けられているが、一体化して、光信号を送受信する送受信器として設けられてもよい。
【００２２】
波長選択スイッチ４は、光分岐部３から入力された多重光信号Ｓｍｘ、他方路の分岐部から入力された多重光信号、及び合波部５２から入力された多重光信号に含まれる光信号の波長のうち、選択した波長の光信号を多重する。波長選択スイッチ４は、多重した光信号を新たな多重光信号Ｓｍｘとして出力側増幅器２２に出力する。出力側増幅器２２は、波長選択スイッチ４から入力された多重光信号Ｓｍｘを、例えばエルビウムドープファイバにより増幅し、隣接ノードの伝送装置に出力する。なお、波長選択スイッチ４において選択される波長は、例えば装置制御部９００により設定される。
【００２３】
また、装置制御部９００は、例えばＣＰＵ（Central Processing Unit）などのプロセッサなどを含み、ネットワーク管理装置８０と通信し、伝送装置９０全体を制御する。装置制御部９００は、例えば、ネットワーク管理装置８０の指示に従って、波長選択スイッチ４の波長設定を行う。
【００２４】
また、装置制御部９００は、伝送装置１内の警報を収集する。例えば、入力側増幅器２１は、内部の受信検出部２１ａにより、多重光信号Ｓｍｘを受信していないことを検出し、ＷＤＭ回線断の警報を装置制御部９００に出力する（×印参照）。ＷＤＭ回線断の警報要因としては、例えば、伝送路の障害、または隣接ノードの伝送装置（送信器）の障害が挙げられる。なお、受信検出部２１ａは、入力側増幅器２１の外部に設けられてもよい。
【００２５】
入力側増幅器２１において、多重光信号Ｓｍｘが受信されていない場合、各トランスポンダ５１ａも、光信号Ｓ１〜Ｓｎを受信できない。このため、各トランスポンダ５１ａは、光信号Ｓ１〜Ｓｎの受信不能を通知する光信号断の警報を検出する。しかし、光信号断の警報要因は、例えば分離部５１の故障であり、運用上、ＷＤＭ回線断の警報要因とは異なる。
【００２６】
このため、仮に、装置制御部９００が、ＷＤＭ回線断の警報、及び光信号断の警報の２種類の異なる警報をネットワーク管理装置８０に出力した場合、警報要因の特定が困難になる。したがって、障害要因を容易に特定するには、１つの障害要因に対して、１つの警報が検出されるのが望ましい。
【００２７】
そこで、装置制御部９００は、ＷＤＭ回線断の警報が通知された場合、各トランスポンダ５１ａにおける光信号断の警報の検出を禁止する（「警報なし」参照）。これにより、ネットワーク管理装置８０には、ＷＤＭ回線断の警報だけが出力されるので、警報要因の特定が容易となる。なお、このような警報検出（または警報出力）の禁止は、警報のマスク処理などと呼ばれる。
【００２８】
しかし、例えば、各トランスポンダ５１ａが、伝送装置１の本体から独立した他装置として構成（「Alien Wavelength」構成）されている場合、装置制御部９００は、各トランスポンダ５１ａを制御できないため、警報のマスク処理を行うことができない。
【００２９】
（第２比較例）
図２は、第２比較例に係る伝送装置の機能構成を示す構成図である。図２において、図１と共通する構成については、同一の符号を付し、その説明を省略する。
【００３０】
本例において、分岐対象の光信号Ｓ１〜Ｓｎを受信するトランスポンダは、伝送装置９０から独立した受信側伝送装置９１に設けられている。受信側伝送装置９１は、分離部５１から出力された光信号Ｓ１〜Ｓｎをそれぞれ受信する複数のトランスポンダ９１１と、伝送装置９１全体を制御する装置制御部９１０とを有する。
【００３１】
本例でも、入力側増幅器２１において、ＷＤＭ回線断の警報が検出されると、各トランスポンダ９１１において、光信号断の警報が検出される。しかし、各トランスポンダ９１１は、入力側増幅器２１を制御する装置制御部９００とは異なる装置制御部９１０により制御されるので、装置制御部９００は、光信号断の警報のマスク処理を行うことができない。
【００３２】
このため、「Alien Wavelength」構成では、２種類の警報の出力を防止することができず、警報要因の特定が困難となる。しかし、各伝送装置９０，９１が、制御情報を交換できれば、マスク処理が可能となるため、このような問題は回避される。
【００３３】
（第３比較例）
図３は、第３比較例に係る伝送装置の機能構成を示す構成図である。図３において、図１と共通する構成については、同一の符号を付し、その説明を省略する。
【００３４】
伝送装置９２は、装置制御部９２０と、入力側増幅器２１と、出力側増幅器２２と、光分岐部３と、波長選択スイッチ（WSS: Wavelength Selective Switch）４と、分離部５１と、合波部５２と、複数のトランスポンダ５２ａとを有する。伝送装置９２は、制御信号生成部９２１と、通信処理部９２２とを、さらに有する。
【００３５】
また、受信側伝送装置９３は、装置制御部９３０と、制御信号検出部９３１と、通信処理部９３２と、複数のトランスポンダ９３３とを有する。複数のトランスポンダ９３３は、分離部５１から出力された光信号Ｓ１〜Ｓｎをそれぞれ受信する。
【００３６】
伝送装置９２において、受信検出部２１ａは、多重光信号Ｓｍｘを受信していないことを検出し、ＷＤＭ回線断の警報を装置制御部９２０に出力する（×印参照）。装置制御部９２０は、ＷＤＭ回線断の警報が入力されると、制御信号生成部９２１に対し、警報通知信号Ｆを生成するように指示する。制御信号生成部９２１は、通信処理部９２２を介して、受信側伝送装置９３に警報通知信号Ｆを送信する。
【００３７】
警報通知信号Ｆは、例えばイーサネット（登録商標、以下同様）フレームの形態を有し、ヘッダ及びペイロードを含む。ペイロードは、ＷＤＭ回線の警報の発生を通知するＡＬＭフラグを含む。ＡＬＭフラグは、例えば１（Ｂｉｔ）の領域を有し、「１」（２進数）である場合、ＷＤＭ回線の警報が発生したことを示し、「０」（２進数）である場合、ＷＤＭ回線の警報が発生してないことを示す。
【００３８】
受信側伝送装置９３において、警報通知信号Ｆは、通信処理部９３２を介して、制御信号検出部９３１に入力される。制御信号検出部９３１は、警報通知信号ＦのＡＬＭフラグが「１」である場合、ＷＤＭ回線断の警報を検出し、装置制御部９３０に通知する。
【００３９】
装置制御部９３０は、ＷＤＭ回線断の警報が通知されると、複数のトランスポンダ９３３における光信号断の警報のマスク処理を行う。例えば、装置制御部９３０は、複数のトランスポンダ９３３に対し、光信号断の警報の検出を禁止する。または、装置制御部９３０は、ネットワーク管理装置８０に対する光信号断の警報の出力を禁止する。
【００４０】
これにより、ネットワーク管理装置８０は、伝送装置９２において波長多重光信号Ｓｍｘが受信されない場合、光信号断の警報は通知されず、ＷＤＭ回線断の警報だけが通知される。したがって、警報要因の特定が容易となる。
【００４１】
しかしながら、上述した手法では、伝送装置９２，９３の間の通信手段、つまり通信処理部９２２，９３２が用いられるため、新たな制御用通信回線が必要となり、コストが増加する。さらに、伝送装置９２，９３の間で共通の制御プロトコルも必要になるので、伝送装置９２，９３の種類が異なる場合、実現が困難である。
【００４２】
（第１実施例）
実施例に係る伝送装置は、波長多重光信号の受信障害を通知する通知信号を、分岐対象の光信号のフレーム種別に従って生成し、当該光信号に応じた波長光に変換して、光信号に代えて他装置に送信することで、警報要因を容易に特定する。
【００４３】
図４は、第１実施例に係る伝送装置の機能構成を示す構成図である。図４において、図２と共通する構成については、同一の符号を付し、その説明を省略する。
【００４４】
伝送装置（第１伝送装置）１は、装置制御部１０と、入力側増幅器（受信部）２１と、出力側増幅器２２と、光分岐部７０，３と、波長選択スイッチ４と、分離部（分波部）５１と、合波部５２と、複数のトランスポンダ５２ａとを有する。伝送装置１は、波長抽出部６０と、フレーム検出部（検出部）６１と、記憶部６２と、ＡＩＳ生成部（生成部）６３と、複数の電気−光変換部（送信部）６４と、複数の光スイッチ７１とを、さらに有する。
【００４５】
受信側伝送装置（第２伝送装置）９１は、伝送装置１と光ファイバ（伝送路）を介して接続され、伝送装置１とともに伝送システムを構成する。受信側伝送装置９１は、分離部５１から出力された光信号Ｓ１〜Ｓｎをそれぞれ受信する複数のトランスポンダ９１１と、伝送装置９１全体を制御する装置制御部９１０とを有する。なお、後述するように、分離部５１及び複数のトランスポンダ９１１は、複数の光スイッチ７１を介して互いに接続されている。
【００４６】
装置制御部１０は、例えばＣＰＵなどのプロセッサなどを含み、ネットワーク管理装置８０と通信し、伝送装置１全体を制御する。装置制御部１０は、例えば、ネットワーク管理装置８０の指示に従って、波長選択スイッチ４の波長設定を行う。
【００４７】
光分岐部７０は、例えば光スプリッタであり、入力側増幅器２１から出力された多重光信号Ｓｍｘを分岐し、波長抽出部６０及び他の光分岐部３に導く。波長抽出部６０は、例えば波長フィルタであり、多重光信号Ｓｍｘから、装置制御部１０から指示された波長の光信号を抽出し、フレーム検出部６１に出力する。なお、装置制御部１０は、波長抽出部６０に指示する波長を、分岐対象の光信号の波長の中から選択し、単位時間ごとに切り替える。
【００４８】
フレーム検出部６１は、多重光信号Ｓｍｘに含まれる複数の光信号のうち、波長多重光信号Ｓｍｘから分離されてトランスポンダ９１１に送信される光信号Ｓ１〜Ｓｎ、つまり分岐対象の光信号Ｓ１〜Ｓｎごとに、当該光信号のフレームの種別を検出する。例えば、フレーム検出部６１は、光信号Ｓ１〜Ｓｎを電気信号に変換し、電気信号のパタンを、各種のフレームのヘッダ部分に含まれる同期パタンと照合することにより、フレームの種別を特定する。
【００４９】
フレーム検出部６１は、フレームの種別として、外部フレームの種類及び内部フレームの種類を特定する。内部フレームは、クライアント信号のフレームであり、例えば、１００ＧＥ（Gigabit-Ethernet）、４０ＧＥ、ＯＣ７６８／ＳＴＭ２５６、及び１０Ｇ−ＦＣ（Fiber Channel）などが挙げられる。外部フレームは、内部フレームを収容するフレーム構造であり、例えばＯＴＵ(Optical channel Transport Unit)−ｎフレーム（ｎ：伝送速度に応じて自然数）が挙げられる。なお、ＯＴＵは、ＩＴＵ−Ｔ（International Telecommunication Union Telecommunication Standardization Sector（国際電気通信連合））勧告Ｇ．７０９に規定されている。
【００５０】
図５は、ＯＴＵフレームの構成を示す構成図である。図５において、「ＯＨ」は、オーバーヘッドを表す。
【００５１】
オーバーヘッド領域は、ＦＡＳ（Frame Alignment Signal）オーバーヘッド、ＯＴＵオーバーヘッド、ＯＤＵ（Optical channel Data Unit）オーバーヘッド、及びＯＰＵ（Optical channel Payload Unit）オーバーヘッドを含む。各オーバーヘッドは、各種の制御情報を含む。また、ペイロード領域は、論理チャネルである１以上のＴＳ（Tributary Slot）（図示せず）が設けられ、ＴＳごとにクライアント信号を収容する。
【００５２】
図６は、ＯＴＵフレームのオーバーヘッドの構成を示す構成図である。図６において、「Ｒｏｗ」及び「Ｂｙｔｅ」は、図５の「Ｒｏｗ」及び「Ｂｙｔｅ」にそれぞれ対応する。また、フレーム内にある「＊１」〜「＊４」の内容は、フレーム外の「＊１」〜「＊４」にそれぞれ示されている。
【００５３】
ＦＡＳオーバーヘッドは、ＦＡＳ及びＭＦＡＳ（Multi-Frame Alignment Signal）を含み、トランスポンダ９１１におけるフレーム同期処理に用いられる。このため、ＦＡＳオーバーヘッドは、ＯＴＵフレームの先頭を示す固有パタンデータを有する。
【００５４】
ＯＴＵオーバーヘッドは、監視機能を提供し、ＳＭ（Section Monitoring）と、ＧＣＣ（General Communication Channel）０と、ＲＥＳ(Reserved for future international Standardization)とを含む。ＳＭは、ＴＴＩ（Trail Trace Identifier）と、ＢＩＰ−８（Bit Interleaved Parity level 8）とを含む。ＳＭは、ＢＥＩ（Backward Error Indication）／ＢＩＡＥ（Backward Incoming Alignment Error）と、ＢＤＩ（Backward Defect Indication）と、ＩＡＥ（Incoming Alignment Error）と、ＲＥＳとを、さらに含む。
【００５５】
ＯＤＵオーバーヘッドは、ＲＥＳ、ＰＭ（Path Monitoring）＆ＴＣＭ（Tandem Connection Monitoring）、ＴＣＭ  ＡＣＴ（Activation/deactivation Control Channel）、ＴＣＭ１〜６、及びＦＴＦＬ（Fault Type & Fault Location reporting channel）を含む。ＯＤＵオーバーヘッドは、ＰＭ、ＥＸＰ（Experimental）、ＧＣＣ１，２、及びＡＰＳ（Automatic Protection Switching coordination channel）／ＰＣＣ（Protection Communication Channel）を、さらに含む。ＰＭ＆ＴＣＭは、ＤＭｔ（Delay Measurement of TCM）１〜６と、ＤＭｐ（Delay Measurement of ODUk path）と、ＲＥＳとを含む。
【００５６】
ＴＣＭ１〜６は、それぞれ、ＴＴＩと、ＢＩＰ−８と、ＢＥＩｉ／ＢＩＡＥｉと、ＢＤＩｉと、ＳＴＡＴ（Status）ｉとを含む（ｉ＝１〜６）。ＰＭは、ＴＴＩと、ＢＩＰ−８と、ＢＥＩと、ＢＤＩと、ＳＴＡＴとを含む。
【００５７】
ＯＰＵオーバーヘッドは、ＰＳＩ（Payload Structure Identifier）と、ＪＣ（Justification Control）と、ＮＪＯ（Negative Justification Opportunity）と、ＰＪＯ（Positive Justification Opportunity）と、ＲＥＳとを含む。ＲＥＳは、ＧＭＰ(Generic Mapping Procedure)運用の場合、ＪＣとして使用される。なお、上記の各パラメータの詳細については、ＩＴＵ−Ｔ勧告Ｇ．７０９に規定されている。
【００５８】
フレーム検出部６１は、外部フレームがＯＴＵ−ｎであることを検出した場合、上記のＴＴＩの値を、外部フレーム及び内部フレームの種別とともに記憶部６２に記憶する。これは、後述するＡＩＳ信号をトランスポンダ９１１に送信したとき、ＡＩＳ信号のＴＴＩの値が、トランスポンダ９１１の期待値と異なると、受信側伝送装置９１において警報が検出されるからである。
【００５９】
記憶部６２は、例えばメモリであり、光信号Ｓ１〜Ｓｎのフレームの種別を示すフレーム情報を記憶する。図７には、フレーム情報の一例が示されている。
【００６０】
「チャネル番号」は、ネットワーク管理装置８０が、多重光信号Ｓｍｘに多重された各光信号の波長ごとに割り当てた管理番号である。「波長」は、「チャネル番号」が示す光信号の波長である。「外部フレーム」及び「内部フレーム」は、当該光信号の外部フレーム及び内部フレームの種類をそれぞれ示す。また、「ＴＴＩ」は、ＯＴＵ−ｎフレームに含まれる各ＴＴＩの値を示す。
【００６１】
例えばチャネル番号ＣＨ１の光信号は、波長がλ１であり、外部フレームがＯＴＵ−ｎであり、内部フレームが４０ＧＥである。なお、各チャネル番号の波長は、予め、ネットワーク管理装置８０から装置制御部１０に設定される。
【００６２】
装置制御部１０は、波長抽出部６０に指示する波長を、単位時間ごとに切り替えるので、フレーム検出部６１は、分岐対象の光信号Ｓ１〜Ｓｎの各フレームの種別を時分割で検出する。このため、分岐対象の全ての光信号は、共通の波長抽出部６０及びフレーム検出部６１により処理される。したがって、本実施例では、分岐対象の光信号ごとに個別の波長抽出部６０及びフレーム検出部６１を設けた場合より、ハードウェアの規模が低減される。
【００６３】
ＡＩＳ生成部６３は、多重光信号Ｓｍｘの受信障害をトランスポンダ９１１に通知する通知信号（ＡＩＳ信号）Ｎ１〜Ｎｎを、多重光信号Ｓｍｘから分離されてトランスポンダ９１１に送信される光信号Ｓ１〜Ｓｎごとに、当該光信号のフレームの種別に従って生成する。つまり、ＡＩＳ生成部６３は、通知信号Ｎ１〜Ｎｎを、分岐対象の光信号Ｓ１〜Ｓｎごとに、フレーム検出部６１が検出したフレームの種別に従って生成する。
【００６４】
ＡＩＳ生成部６３は、記憶部６２からフレーム情報を読み出して、フレーム情報が示す外部フレーム及び内部フレームに応じた通知信号Ｎ１〜Ｎｎを生成する。例えば、通知信号Ｎ１は、光信号Ｓ１のフレームの種別に応じて生成され、通知信号Ｎ２は、光信号Ｓ２のフレームの種別に応じて生成される。通知信号Ｎ１〜Ｎｎの形態は、例えば、フレーム種別に応じたＡＩＳにより規定されるが、これに限定されない。また、外部フレームがＯＴＮ−ｎである場合、ＡＩＳ生成部６３は、各ＴＴＩに、フレーム情報が示すＴＴＩの値を挿入し、ＧＣＣ０〜２には、例えばＡＬＬ「１」（２進数）を挿入する。
【００６５】
フレーム情報は、フレーム検出部６１により更新されるため、ＡＩＳ生成部６３は、運用中に、光信号のフレームの種別が変更されても、ネットワーク管理装置８０による設定を必要とせずに、変更後のフレームの種別に応じた通知信号Ｎ１〜Ｎｎを生成できる。このため、本実施例によると、フレームの種別の設定変更の手間が省かれる。
【００６６】
ＡＩＳ生成部６３は、通知信号Ｎ１〜Ｎｎを複数の電気−光変換部６４にそれぞれ出力する。
【００６７】
電気−光変換部６４は、例えば、波長が可変である光を出力するレーザダイオードであり、通知信号Ｎ１〜Ｎｎを、当該光信号Ｓ１〜Ｓｎと同一の波長光（波長が同一の光）Ｗ１〜Ｗｎにそれぞれ変換する。例えば、通知信号Ｎ１は、光信号Ｓ１と同一の波長光Ｗ１に変換され、通知信号Ｎ２は、光信号Ｓ２と同一の波長光Ｗ２に変換される。このとき、電気−光変換部６４は、装置制御部１０から波長が設定される。波長光Ｗ１〜Ｗｎは、複数の光スイッチ７１に入力される。
【００６８】
光スイッチ７１は、電気−光変換部６４、分離部５１、及びトランスポンダ９１１に接続され、装置制御部１０の制御に応じ、電気−光変換部６４及び分離部５１からの２つの入力光の一方を選択して、トランスポンダ９１１に出力する。より具体的には、光スイッチ７１は、電気−光変換部６４から波長光Ｗ１〜Ｗｎが入力され、分離部５１から光信号Ｓ１〜Ｓｎが入力される。光スイッチ７１は、装置制御部１０の制御に応じ、波長光Ｗ１〜Ｗｎ及び光信号Ｓ１〜Ｓｎの一方を選択してトランスポンダ９１１に出力する。
【００６９】
つまり、光スイッチ７１は、装置制御部１０の制御に応じ、波長光Ｗ１〜Ｗｎ及び光信号Ｓ１〜Ｓｎの間で、トランスポンダ９１１に出力する対象を切り替える。切り替えは、トランスポンダ９１１の入力光が瞬断しないように行われるのが望ましい。
【００７０】
装置制御部１０は、多重光信号Ｓｍｘが、入力側増幅器２１において受信される場合、つまり、受信検出部２１ａが多重光信号Ｓｍｘの受信を検出している場合、光信号Ｓ１〜Ｓｎがトランスポンダ９１１に出力されるように光スイッチ７１を制御する。一方、装置制御部１０は、多重光信号Ｓｍｘが、入力側増幅器２１において受信されない場合、つまり、受信検出部２１ａが多重光信号Ｓｍｘの受信を検出していない場合、波長光Ｗ１〜Ｗｎがトランスポンダ９１１に出力されるように光スイッチ７１を制御する。
【００７１】
これにより、複数の電気−光変換部６４は、波長多重光信号Ｓｍｘが、入力側増幅器２１において受信されない場合、波長光を、当該光信号に代えて、複数のトランスポンダ９１１にそれぞれ送信する。したがって、ＷＤＭ回線断の警報が検出されたとき、当該警報を通知する通知信号Ｎ１〜Ｎｎが、複数のトランスポンダ９１１にそれぞれ送信される。
【００７２】
受信側伝送装置９１において、トランスポンダ９１１は、通知信号Ｎ１〜Ｎｎを受信すると、ＷＤＭ回線断の警報の発生を装置制御部９１０に通知する。このとき、通知信号Ｎ１〜Ｎｎは、光信号Ｓ１〜Ｓｎと波長及びフレームの種別が同一であるので、トランスポンダ９１１において、光信号断の警報は検出されない。
【００７３】
したがって、受信側伝送装置９１は、伝送装置１における多重光信号Ｓｍｘの受信障害を検出できるとともに、光信号断の警報、つまり、受信側伝送装置９１内の受信障害を示す誤警報を出力しない。よって、実施例に係る伝送装置１によると、警報要因を容易に特定できる。
【００７４】
また、本実施例では、伝送装置１，９１の間において新たな制御用通信回線や制御プロトコルは用いらない。このため、本実施例は、上述した第３比較例より、コスト及び実現性が優れている。
【００７５】
次に、伝送装置１の処理（伝送方法）を説明する。図８は、第１実施例に係る伝送装置１の処理を示すフローチャートである。
【００７６】
まず、波長抽出部６０は、装置制御部１０の指示に基づいて、多重光信号Ｓｍｘに含まれる波長のうち、分岐対象となる波長の１つを選択し（ステップＳｔ１）、多重光信号Ｓｍｘから当該光信号Ｓ１〜Ｓｎを抽出する（ステップＳｔ２）。次に、フレーム検出部６１は、抽出された光信号Ｓ１〜Ｓｎのフレームの種別を検出する（ステップＳｔ３）。
【００７７】
次に、フレーム検出部６１は、検出した外部フレーム及び内部フレームの種類に基づいて、記憶部６２内のフレーム情報を更新する（ステップＳｔ４）。ステップＳｔ１の処理における未選択の波長がある場合（ステップＳｔ５のＹｅｓ）、ステップＳｔ１〜Ｓｔ４の処理が再度行われる。このとき、ステップＳｔ１の処理では、未選択の波長が選択される。このように、ステップＳｔ１〜Ｓｔ４の処理では、分岐対象の光信号Ｓ１〜Ｓｎについて順次にフレームの種別が取得され、フレーム情報として記録される。
【００７８】
ステップＳｔ１の処理における未選択の波長がない場合（ステップＳｔ５のＮｏ）、ＡＩＳ生成部６３は、フレーム情報が示す内部フレームの種類に応じた通知信号Ｎ１〜Ｎｎを生成する（ステップＳｔ６）。次に、ＡＩＳ生成部６３は、フレーム情報が示す外部フレームの種類に応じて、通知信号Ｎ１〜Ｎｎを収容する外部フレームを生成する（ステップＳｔ７）。
【００７９】
次に、電気−光変換部６４は、通知信号Ｎ１〜Ｎｎを、当該光信号Ｓ１〜Ｓｎに応じた波長光Ｗ１〜Ｗｎに変換する（ステップＳｔ８）。これにより、通知信号Ｎ１〜Ｎｎは、光信号Ｓ１〜Ｓｎと同一波長の光に変換される。
【００８０】
次に、装置制御部１０は、受信検出部２１ａにより、多重光信号Ｓｍｘの受信の有無を判定する（ステップＳｔ９）。多重光信号Ｓｍｘが受信されている場合（ステップＳｔ９のＹｅｓ）、装置制御部１０は、光スイッチ７１の制御を行わず、ステップＳｔ１の処理が再び行われる。
【００８１】
多重光信号Ｓｍｘが受信されていない場合（ステップＳｔ９のＮｏ）、装置制御部１０は、光信号Ｓ１〜Ｓｎに代えて、通知信号Ｎ１〜Ｎｎ（波長光Ｗ１〜Ｗｎ）がトランスポンダ９１１に出力されるように、光スイッチ７１を切り替える（ステップＳｔ１０）。次に、電気−光変換部６４は、光スイッチ７１を介して、波長光Ｗ１〜Ｗｎをトランスポンダ９１１に送信する（ステップＳｔ１１）。このようにして、伝送装置１の処理は行われる。
【００８２】
（第２実施例）
第１実施例において、フレーム情報は、フレーム検出部６１により生成され、記憶部６２に格納されたが、これに限定されることはなく、ネットワーク管理装置８０から設定されてもよい。この場合、上記の波長抽出部６０及びフレーム検出部６１が不要となるので、ハードウェアの規模が、第１実施例より低減される。
【００８３】
図９は、第２実施例に係る伝送装置の機能構成を示す構成図である。図９において、図４と共通する構成については、同一の符号を付し、その説明を省略する。
【００８４】
伝送装置（第１伝送装置）１ａは、装置制御部（入力部）１０ａと、入力側増幅器２１と、出力側増幅器２２と、光分岐部３と、波長選択スイッチ４と、分離部５１と、合波部５２と、複数のトランスポンダ５２ａとを有する。伝送装置１ａは、記憶部６２ａと、ＡＩＳ生成部６３と、複数の電気−光変換部６４と、複数の光スイッチ７１とを、さらに有する。
【００８５】
装置制御部１０ａは、例えばＣＰＵなどのプロセッサなどを含み、ネットワーク管理装置８０と通信し、伝送装置１ａ全体を制御する。装置制御部１０ａは、第１実施例の装置制御部１０と同様に、波長選択スイッチ４の波長設定、電気−光変換部６４の波長設定、及び光スイッチ７１の切り替えを行う。
【００８６】
また、装置制御部１０ａは、ネットワーク管理装置８０からフレーム情報が入力され、入力されたフレーム情報を記憶部６２ａに格納する。記憶部６２ａは、例えばメモリであり、フレーム情報を記憶する。なお、フレーム情報は、上述したように、多重光信号Ｓｍｘから分離されてトランスポンダ９１１に送信される光信号（分岐対象の光信号）Ｓ１〜Ｓｎごとに、光信号のフレームの種別を示す（図７参照）。
【００８７】
ＡＩＳ生成部６３は、通知信号Ｎ１〜Ｎｎを、記憶部６２ａから読み出したフレームの種別に従って生成する。通知信号Ｎ１〜Ｎｎは、電気−光変換部６４により波長光Ｗ１〜Ｗｎに変換される。波長光Ｗ１〜Ｗｎは、多重光信号Ｓｍｘが受信されない場合、光信号Ｓ１〜Ｓｎに代え、光スイッチ７１を介してトランスポンダ９１１に送信される。
【００８８】
このため、本実施例においても、第１実施例と同様に、トランスポンダ９１１における光信号断の警報の発生が防止される。なお、本実施例において、フレーム情報は、ネットワーク管理装置８０から装置制御部１０ａに入力されるが、これに限定されず、パーソナルコンピュータなどの端末装置から装置制御部１０ａに入力されてもよい。
【００８９】
次に、伝送装置１ａの処理（伝送方法）を説明する。図１０は、第２実施例に係る伝送装置１ａの処理を示すフローチャートである。
【００９０】
まず、フレーム情報が、ネットワーク管理装置８０から装置制御部１０ａに入力される（ステップＳｔ２１）。次に、装置制御部１０ａは、フレーム情報を記憶部６２ａに格納する（ステップＳｔ２２）。
【００９１】
次に、ＡＩＳ生成部６３は、フレーム情報が示す内部フレームの種類に応じた通知信号Ｎ１〜Ｎｎを生成する（ステップＳｔ２３）。次に、ＡＩＳ生成部６３は、フレーム情報が示す外部フレームの種類に応じて、通知信号Ｎ１〜Ｎｎを収容する外部フレームを生成する（ステップＳｔ２４）。次に、電気−光変換部６４は、通知信号Ｎ１〜Ｎｎを、当該光信号Ｓ１〜Ｓｎに応じた波長光Ｗ１〜Ｗｎに変換する（ステップＳｔ２５）。
【００９２】
次に、装置制御部１０ａは、受信検出部２１ａにより、多重光信号Ｓｍｘの受信の有無を判定する（ステップＳｔ２６）。多重光信号Ｓｍｘが受信されていない場合（ステップＳｔ２６のＮｏ）、装置制御部１０ａは、光信号Ｓ１〜Ｓｎに代えて、通知信号Ｎ１〜Ｎｎ（波長光Ｗ１〜Ｗｎ）がトランスポンダ９１１に出力されるように、光スイッチ７１を切り替える（ステップＳｔ２７）。多重光信号Ｓｍｘが受信されている場合（ステップＳｔ２６のＹｅｓ）、装置制御部１０ａは、光スイッチ７１の制御を行わず、ステップＳｔ２６の処理を再び行う。
【００９３】
次に、電気−光変換部６４は、光スイッチ７１を介して、波長光Ｗ１〜Ｗｎをトランスポンダ９１１に送信する（ステップＳｔ２８）。このようにして、伝送装置１ａの処理は行われる。
【００９４】
（第３実施例）
第１実施例及び第２実施例において、トランスポンダ９１１に送信する光信号Ｓ１〜Ｓｎ及び通知信号Ｎ１〜Ｎｎの切り替えは、複数の光スイッチ７１により行われるが、波長光Ｗ１〜Ｗｎを波長多重することで、単数の光スイッチにより行うことも可能である。この場合、光スイッチの個数が、第１実施例及び第２実施例より減少するため、コストが低減される。
【００９５】
図１１は、第３実施例に係る伝送装置の機能構成を示す構成図である。図１１において、図４と共通する構成については、同一の符号を付し、その説明を省略する。
【００９６】
伝送装置（第１伝送装置）１ｂは、装置制御部１０ｂと、入力側増幅器２１と、出力側増幅器２２と、光分岐部７０，３と、波長選択スイッチ４と、分離部（分波部）５１と、合波部５２と、複数のトランスポンダ５２ａとを有する。伝送装置１ｂは、波長分離部（ＤＥＭＵＸ）７２と、複数のフレーム検出部（検出部）６１ａと、ＡＩＳ生成部６３と、複数の電気−光変換部６４と、波長光合波部（合波部）（ＭＵＸ）７３と、光スイッチ（切り替え部）７１ａとを、さらに有する。
【００９７】
装置制御部１０ｂは、例えばＣＰＵなどのプロセッサなどを含み、ネットワーク管理装置８０と通信し、伝送装置１ｂ全体を制御する。装置制御部１０ｂは、第１実施例の装置制御部１０と同様に、波長選択スイッチ４の波長設定、電気−光変換部６４の波長設定、及び光スイッチ７１ａの切り替えを行う。
【００９８】
波長分離部７２は、例えばＡＷＧであり、多重光信号Ｓｍｘを、分岐対象となる波長ごとの光信号Ｓ１〜Ｓｎに分波する。光信号Ｓ１〜Ｓｎは、複数のフレーム検出部６１ａにそれぞれ入力される。
【００９９】
フレーム検出部６１ａは、第１実施例のフレーム検出部６１と同様に、光信号Ｓ１〜Ｓｎのフレームの種別を検出する。フレーム検出部６１ａは、検出結果に基づいてフレーム情報を生成し、ＡＩＳ生成部６３に出力する。なお、フレーム情報は、複数のフレーム検出部６１ａにより生成されるため、光信号Ｓ１〜Ｓｎ単位の個別の情報として出力される。
【０１００】
ＡＩＳ生成部６３は、複数のフレーム検出部６１ａから入力されたフレーム情報に基づいて、通知信号Ｎ１〜Ｎｎを生成する。通知信号Ｎ１〜Ｎｎは、電気−光変換部６４により波長光Ｗ１〜Ｗｎに変換されて、波長光合波部７３に入力される。
【０１０１】
波長光合波部７３は、複数の電気−光変換部６４から入力された波長光Ｗ１〜Ｗｎを合波して合波光Ｗｍｘを生成する。合波光Ｗｍｘは、光スイッチ７１ａに入力される。
【０１０２】
光スイッチ７１ａは、光分岐部３、波長光合波部７３、及び分離部５１に接続され、装置制御部１０ｂの制御に応じ、光分岐部３及び波長光合波部７３からの２つの入力光の一方を選択して、分離部５１に出力する。より具体的には、光スイッチ７１ａは、光スイッチ７１ａから合波光Ｗｍｘが入力され、光分岐部３から多重光信号Ｓｍｘが入力される。光スイッチ７１ａは、装置制御部１０ｂの制御に応じて、合波光Ｗｍｘ及び多重光信号Ｓｍｘの一方を選択し、分離部５１に出力する。
【０１０３】
つまり、光スイッチ７１ａは、装置制御部１０ｂの制御に応じ、合波光Ｗｍｘ及び多重光信号Ｓｍｘの間で、分離部５１に出力する対象を切り替える。このため、分離部５１は、合波光Ｗｍｘを分波して得られる波長光Ｗ１〜Ｗｎ、または多重光信号Ｓｍｘを分波して得られる光信号Ｓ１〜Ｓｎの一方を、複数のトランスポンダ９１１にそれぞれ導く。なお、切り替えは、トランスポンダ９１１の入力光が瞬断しないように行われるのが望ましい。
【０１０４】
装置制御部１０ｂは、多重光信号Ｓｍｘが、入力側増幅器２１において受信される場合、つまり、受信検出部２１ａが多重光信号Ｓｍｘの受信を検出している場合、多重光信号Ｓｍｘが分離部５１に出力されるように光スイッチ７１ａを制御する。一方、装置制御部１０ｂは、多重光信号Ｓｍｘが、入力側増幅器２１において受信されない場合、つまり、受信検出部２１ａが多重光信号Ｓｍｘの受信を検出していない場合、合波光Ｗｍｘが分離部５１に出力されるように光スイッチ７１ａを制御する。
【０１０５】
したがって、光スイッチ７１ａは、多重光信号Ｓｍｘが、入力側増幅器２１において受信されない場合、入力された光を波長ごとに分波する分離部５１に入力される光を、多重光信号Ｓｍｘから合波光Ｗｍｘに切り替える。このため、合波光Ｗｍｘは、分離部５１により、波長光Ｗ１〜Ｗｎに分離された後、受信側伝送装置９１に導かれる。つまり、複数の電気−光変換部６４は、波長光合波部７３、光スイッチ７１ａ、及び分離部５１を介して、複数のトランスポンダ９１１に波長光Ｗ１〜Ｗｎを送信する。受信側伝送装置９１において、波長光Ｗ１〜Ｗｎは、複数のトランスポンダ９１１にそれぞれ入力される。
【０１０６】
このため、本実施例においても、第１実施例と同様に、トランスポンダ９１１における光信号断の警報の発生が防止される。また、本実施例において、光スイッチ７１ａの個数（１個）は、第１実施例及び第２実施例より少ないため、コストが低減される。なお、本実施例では、複数のフレーム検出部６１ａによりフレームの種別が検出されるが、これに限定されず、第１実施例と同様に、１つのフレーム検出部６１によりフレームの種別が検出されてもよい。
【０１０７】
次に、伝送装置１ｂの処理（伝送方法）を説明する。図１２は、第３実施例に係る伝送装置１ｂの処理を示すフローチャートである。
【０１０８】
まず、波長分離部７２は、多重光信号Ｓｍｘを波長ごとの光信号Ｓ１〜Ｓｎに分波する（ステップＳｔ３１）。次に、複数のフレーム検出部６１ａは、光信号Ｓ１〜Ｓｎのフレームの種別をそれぞれ検出する（ステップＳｔ３２）。検出結果は、光信号Ｓ１〜Ｓｎごとのフレーム情報として、ＡＩＳ生成部６３に通知される。
【０１０９】
次に、ＡＩＳ生成部６３は、フレーム情報が示す内部フレームの種類に応じた通知信号Ｎ１〜Ｎｎを生成する（ステップＳｔ３３）。次に、ＡＩＳ生成部６３は、フレーム情報が示す外部フレームの種類に応じて、通知信号Ｎ１〜Ｎｎを収容する外部フレームを生成する（ステップＳｔ３４）。
【０１１０】
次に、電気−光変換部６４は、通知信号Ｎ１〜Ｎｎを、当該光信号Ｓ１〜Ｓｎに応じた波長光Ｗ１〜Ｗｎに変換する（ステップＳｔ３５）。次に、波長光合波部７３は、各波長光Ｗ１〜Ｗｎを合波して、合波光Ｗｍｘを生成する（ステップＳｔ３６）。
【０１１１】
次に、装置制御部１０ｂは、受信検出部２１ａにより、多重光信号Ｓｍｘの受信の有無を判定する（ステップＳｔ３７）。多重光信号Ｓｍｘが受信されていない場合（ステップＳｔ３７のＮｏ）、装置制御部１０ｂは、多重光信号Ｓｍｘに代えて、合波光Ｗｍｘが分離部５１に出力されるように、光スイッチ７１ａを切り替える（ステップＳｔ３８）。多重光信号Ｓｍｘが受信されている場合（ステップＳｔ３７のＹｅｓ）、装置制御部１０ｂは、光スイッチ７１ａの制御を行わず、ステップＳｔ３７の処理を再び行う。
【０１１２】
次に、合波光Ｗｍｘが、波長光合波部７３から分離部５１に出力される（ステップＳｔ３９）。次に、分離部５１は、合波光Ｗｍｘを、波長ごとの波長光Ｗ１〜Ｗｎに分波する（ステップＳｔ４０）。次に、波長光Ｗ１〜Ｗｎが、複数のトランスポンダ９１１にそれぞれ送信される（ステップＳｔ４１）。このようにして、伝送装置１ｂの処理は行われる。
【０１１３】
これまで述べたように、実施例に係る伝送装置１，１ａ，１ｂは、受信部（入力側増幅器）２１と、生成部（ＡＩＳ生成部）６３と、１以上の送信部（電気−光変換部）６４とを有する。受信部２１は、波長が相違する複数の光信号が多重された波長多重光信号Ｓｍｘを受信する。
【０１１４】
生成部６３は、波長多重光信号の受信障害を他装置（受信側伝送装置）９１に通知する通知信号Ｎ１〜Ｎｎを、複数の光信号のうち、波長多重光信号から分離されて他装置９１に送信される光信号Ｓ１〜Ｓｎごとに、当該光信号のフレームの種別に従って生成する。１以上の送信部６４は、通知信号Ｎ１〜Ｎｎを、複数の光信号のうち、当該光信号と同一の波長光Ｗ１〜Ｗｎにそれぞれ変換し、波長多重光信号Ｓｍｘが、受信部２１において受信されない場合、波長光Ｗ１〜Ｗｎを、当該光信号に代えて、他装置９１にそれぞれ送信する。
【０１１５】
実施例に係る伝送装置１，１ａ，１ｂによると、波長多重光信号Ｓｍｘの受信障害を通知する通知信号Ｎ１〜Ｎｎが、波長多重光信号Ｓｍｘから分離されて他装置９１に送信される光信号Ｓ１〜Ｓｎのフレームの種別に従って、生成部６３により生成される。通知信号Ｎ１〜Ｎｎは、送信部６４により該光信号と同一の波長光Ｗ１〜Ｗｎに変換される。波長光Ｗ１〜Ｗｎは、波長多重光信号Ｓｍｘが、受信部２１において受信されない場合、当該光信号に代えて、他装置９１に送信される。
【０１１６】
したがって、波長多重光信号Ｓｍｘが受信されないとき、光信号Ｓ１〜Ｓｎを受信する他装置９１は、光信号Ｓ１〜Ｓｎの代わりに、該光信号と波長及びフレームが同一である波長光Ｗ１〜Ｗｎ（通知信号Ｎ１〜Ｎｎ）を受信する。このため、他装置９１は、伝送装置１，１ａ，１ｂにおける波長多重光信号Ｓｍｘの受信障害を検出できるとともに、該他装置内の受信障害を示す誤警報を出力しない。よって、実施例に係る伝送装置１，１ａ，１ｂによると、警報要因を容易に特定できる。
【０１１７】
また、実施例に係る伝送システムは、伝送路を介して接続された第１伝送装置（伝送装置）１，１ａ，１ｂ及び第２伝送装置（受信側伝送装置）９１を有する。第１伝送装置１，１ａ，１ｂは、受信部（入力側増幅器）２１と、生成部（ＡＩＳ生成部）６３と、１以上の送信部（電気−光変換部）６４とを有する。
【０１１８】
受信部２１は、波長が相違する複数の光信号が多重された波長多重光信号Ｓｍｘを受信する。生成部６３は、波長多重光信号の受信障害を第２伝送装置９１に通知する通知信号Ｎ１〜Ｎｎを、複数の光信号のうち、波長多重光信号から分離されて第２伝送装置９１に送信される光信号Ｓ１〜Ｓｎごとに、当該光信号のフレームの種別に従って生成する。１以上の送信部６４は、通知信号Ｎ１〜Ｎｎを、複数の光信号のうち、当該光信号と同一の波長光Ｗ１〜Ｗｎにそれぞれ変換し、波長多重光信号Ｓｍｘが、受信部２１において受信されない場合、波長光Ｗ１〜Ｗｎを、当該光信号に代えて、第２伝送装置９１にそれぞれ送信する。
【０１１９】
第２伝送装置９１は、１以上の送信部６４から送信された波長光Ｗ１〜Ｗｎを受信する。
【０１２０】
実施例に係る伝送システムは、上記の伝送装置１，１ａ，１ｂを含むので、上述した内容と同様の作用効果を奏する。
【０１２１】
また、実施例に係る伝送方法は、以下の工程を含む。
工程（１）：波長が相違する複数の光信号が多重された波長多重光信号Ｓｍｘの受信障害を伝送装置（受信側伝送装置）９１に通知する通知信号Ｎ１〜Ｎｎを、複数の光信号のうち、波長多重光信号Ｓｍｘから分離されて伝送装置９１に送信される光信号Ｓ１〜Ｓｎごとに、当該光信号のフレームの種別に従って生成する。
工程（２）：通知信号Ｎ１〜Ｎｎを、複数の光信号のうち、当該光信号と同一の波長光Ｗ１〜Ｗｎに変換し、波長多重光信号Ｓｍｘが受信されない場合、波長光Ｗ１〜Ｗｎを、当該光信号に代えて、伝送装置９１に送信する。
【０１２２】
実施例に係る伝送方法は、上記の伝送装置１，１ａ，１ｂと同様の構成を含むので、上述した内容と同様の作用効果を奏する。
【０１２３】
以上、好ましい実施例を参照して本発明の内容を具体的に説明したが、本発明の基本的技術思想及び教示に基づいて、当業者であれば、種々の変形態様を採り得ることは自明である。
【０１２４】
なお、以上の説明に関して更に以下の付記を開示する。
（付記１）  波長が相違する複数の光信号が多重された波長多重光信号を受信する受信部と、
前記波長多重光信号の受信障害を他装置に通知する通知信号を、前記複数の光信号のうち、前記波長多重光信号から分離されて前記他装置に送信される光信号ごとに、当該光信号のフレームの種別に従って生成する生成部と、
前記通知信号を、前記複数の光信号のうち、当該光信号と同一の波長光にそれぞれ変換し、前記波長多重光信号が、前記受信部において受信されない場合、前記波長光を、当該光信号に代えて、前記他装置にそれぞれ送信する１以上の送信部とを有することを特徴とする伝送装置。
（付記２）  前記複数の光信号のうち、前記波長多重光信号から分離されて前記他装置に送信される光信号ごとに、当該光信号のフレームの種別を検出する検出部を、さらに有し、
前記生成部は、前記通知信号を、前記検出部が検出したフレームの種別に従って生成することを特徴とする付記１に記載の伝送装置。
（付記３）  前記複数の光信号のうち、前記波長多重光信号から分離されて前記他装置に送信される光信号ごとに、当該光信号のフレームの種別を示すフレーム情報が入力される入力部と、
前記フレーム情報を記憶する記憶部とを、さらに有し、
前記生成部は、前記通知信号を、前記記憶部から読み出したフレームの種別に従って生成することを特徴とする付記１に記載の伝送装置。
（付記４）  前記１以上の送信部からそれぞれ入力された前記波長光を合波して合波光を生成する合波部と、
入力された光を波長ごとに分波して、前記他装置に導く分波部と、
前記波長多重光信号が、前記受信部において受信されない場合、前記分波部に入力される光を、前記波長多重光信号から前記合波光に切り替える切り替え部とを、さらに有し、
前記１以上の送信部は、前記合波部、前記切り替え部、及び前記分波部を介して、前記他装置に前記波長光を送信することを特徴とする付記１乃至３の何れかに記載の伝送装置。
（付記５）  伝送路を介して接続された第１伝送装置及び第２伝送装置を有する伝送システムにおいて、
前記第１伝送装置は、
波長が相違する複数の光信号が多重された波長多重光信号を受信する受信部と、
前記波長多重光信号の受信障害を前記第２伝送装置に通知する通知信号を、前記複数の光信号のうち、前記波長多重光信号から分離されて前記第２伝送装置に送信される光信号ごとに、当該光信号のフレームの種別に従って生成する生成部と、
前記通知信号を、前記複数の光信号のうち、当該光信号と同一の波長光に変換し、前記波長多重光信号が、前記受信部において受信されない場合、前記波長光を、当該光信号に代えて、前記第２伝送装置にそれぞれ送信する１以上の送信部とを有し、
前記第２伝送装置は、前記１以上の送信部から送信された前記波長光を受信することを特徴とする伝送システム。
（付記６）  前記第１伝送装置は、前記複数の光信号のうち、前記波長多重光信号から分離されて前記他装置に送信される光信号ごとに、当該光信号のフレームの種別を検出する検出部を、さらに有し、
前記生成部は、前記通知信号を、前記検出部が検出したフレームの種別に従って生成することを特徴とする付記５に記載の伝送システム。
（付記７）  前記第１伝送装置は、前記複数の光信号のうち、前記波長多重光信号から分離されて前記他装置に送信される光信号ごとに、当該光信号のフレームの種別を示すフレーム情報が入力される入力部と、
前記フレーム情報を記憶する記憶部とを、さらに有し、
前記生成部は、前記通知信号を、前記記憶部から読み出したフレームの種別に従って生成することを特徴とする付記５に記載の伝送システム。
（付記８）  前記１以上の送信部からそれぞれ入力された前記波長光を合波して合波光を生成する合波部と、
入力された光を波長ごとに分波して、前記他装置に導く分波部と、
前記波長多重光信号が、前記受信部において受信されない場合、前記分波部に入力される光を、前記波長多重光信号から前記合波光に切り替える切り替え部とを、さらに有し、
前記１以上の送信部は、前記合波部、前記切り替え部、及び前記分波部を介して、前記他装置に前記波長光を送信することを特徴とする付記５乃至７の何れかに記載の伝送システム。
（付記９）  波長が相違する複数の光信号が多重された波長多重光信号の受信障害を伝送装置に通知する通知信号を、前記複数の光信号のうち、前記波長多重光信号から分離されて前記伝送装置に送信される光信号ごとに、当該光信号のフレームの種別に従って生成し、
前記通知信号を、前記複数の光信号のうち、当該光信号と同一の波長光に変換し、前記波長多重光信号が受信されない場合、前記波長光を、当該光信号に代えて、前記伝送装置に送信することを特徴とする伝送方法。
（付記１０）  前記複数の光信号のうち、前記波長多重光信号から分離されて前記伝送装置に送信される光信号ごとに、当該光信号のフレームの種別を検出し、
前記通知信号を、検出したフレームの種別に従って生成することを特徴とする付記９に記載の伝送方法。
（付記１１）  前記複数の光信号のうち、前記波長多重光信号から分離されて前記伝送装置に送信される光信号ごとに、当該光信号のフレームの種別を示すフレーム情報を入力し、
前記フレーム情報を記憶部に記憶し、
前記通知信号を、前記記憶部から読み出したフレームの種別に従って生成することを特徴とする付記９に記載の伝送方法。
（付記１２）  前記波長光を合波して合波光を生成し、
前記波長多重光信号が受信されない場合、光を分波する分波部に入力される光を、前記波長多重光信号から前記合波光に切り替え、
前記分波部により前記合波光を波長ごとに分波して前記伝送装置に導くことを特徴とする付記９乃至１１の何れかに記載の伝送方法。
【符号の説明】
【０１２５】
１，１ａ，１ｂ                    伝送装置（第１伝送装置）
１０ａ                            装置制御部（入力部）
２１                              入力側増幅器（受信部）
５１                              分離部（分波部）
６１，６１ａ                      フレーム検出部（検出部）
６２，６２ａ                      記憶部
６３                              ＡＩＳ生成部（生成部）
６４                              送信部（電気−光変換部）
７１ａ                            光スイッチ（切り替え部）
７３                              波長光合波部（合波部）
９１                              受信側伝送装置（第２伝送装置）
９１１                            トランスポンダ
【図１】
2015115897.tif 000003
【図２】
2015115897.tif 000004
【図３】
2015115897.tif 000005
【図４】
2015115897.tif 000006
【図５】
2015115897.tif 000007
【図６】
2015115897.tif 000008
【図７】
2015115897.tif 000009
【図８】
2015115897.tif 000010
【図９】
2015115897.tif 000011
【図１０】
2015115897.tif 000012
【図１１】
2015115897.tif 000013
【図１２】
2015115897.tif 000014